(57)【要約】      （修正有）【課題】用便などをする際、横漏れ等を防ぎ、オムツ交換と清拭を容易にしたり、ベッドから椅子などへの移乗を簡単し、介護補助機器に使用できるカートリッジカプセル付きオムツを提供する。【解決手段】ソフトカバーの両端に備えられたフックを用いて、カートリッジカプセルと、オムツと、オムツと一体化したオムツカバーとを重ねてフック付きベルト２に引っ掛け可能とすると共に、オムツ用クッションと、オムツ用クッションにベルト掛け用フックを取り付けてフック付きベルトにさらに引っ掛け可能とした。【選択図】図１
0003193749.tif 000002
【実用新案登録請求の範囲】
【請求項１】
オムツ内に用便をする際、カートリッジカプセルを用い用便を狭い範囲に留め快適にし、オムツ交換と清拭を容易にする形状と構造を持つカートリッジカプセル付きオムツ。
【請求項２】
カートリッジカプセルを使用したオムツに不可欠なオムツカバーに付属するロック金具と、別個に付属した上半身用の肩吊り用クッションとその吊り用金具を使用し、寝具などからの移乗が容易かつ快適になる形状と構造を持つ人体の移動器。
【考案の詳細な説明】
【技術分野】
【０００１】本考案は、取り替えが簡単で便利なオムツとそれ専用の人体の移動器の提供に関するものである。
【背景技術】
【０００２】従来のオムツでは用便が広がり過ぎてしまう場合が多く、オムツ交換や清拭時に面倒なことが多い。また、介護の補助機器への発展性が曖昧であるため、より介護の補助機器への発展性を持ったオムツを考案した。
【考案の概要】
【考案が解決しようとする課題】
【０００３】オムツ内に用便などをする際、横漏れ等を防ぎ、快適に用便を狭い範囲に留め、オムツ交換と清拭を容易にしたり、介護補助機器に使用できる発展性を提供する。
【問題を解決するための手段】
【０００４】カートリッジカプセルを用いて用便を狭い範囲に留め、カートリッジカプセルが体重によって押しつぶされないように工夫し、ベッドから椅子などへの移乗を簡単にする。
【考案の効果】
【０００５】オムツ内に用便をする際、用便を狭い範囲に留め、オムツ交換と清拭を容易にしたり、介護補助機器に使用できる効果がある。
【図面の簡単な説明】
【０００６】
【図１】カートリッジカプセルを使用したオムツとその付属品を組み合せた実施方法を示した説明図である。
【図２】カートリッジカプセルを使用したオムツの内部の部品と材料の構造を示した説明図である。
【図３】カートリッジカプセルを使用したオムツの外側に保護の為に付けるオムツ用クッションの部品と構造、上半身用の肩吊り用のクッション部品と構造を示した説明図である。
【図４】オムツ用クッションと上半身用の肩吊り用のクッションを装着する実施方法を示した説明図である。
【図５】吊り上げ吊り下げ移動器の部品と構造、実施方法を示した説明図である。
【０００７】図１では、まず、ユーザーは腰当てを巻き、フック付きベルトを装着し、カートリッジカプセルを装着したオムツとオムツと一体化したソフトカバーをソフトカバーに付いたフックを用いてフック付きベルトに引っ掛けて装着する。その後、用便の入るカートリッジカプセルがユーザーの体重で潰れないようにオムツ用クッションを臀部の周りに装着し、就寝時や着座時などの起床中の両方で使用する。
【符号の説明】１  腰当て
２  フック付きベルト
３  吸収材女性用
４  吸収材男性用
５  吸収材大便用
６  カートリッジカプセル小
７  カートリッジカプセルホルダー大
８  カバー大
９  面テープ
１０  面テープ
１１  ソフトカバー
１２  オムツ用クッション
１３  フック付きベルト掛け用フック
１４  右ロック用金具
１５  左ロック用金具
１６  肩吊り用クッション
１７  右吊り用金具
１８  左吊り用金具
１９  右肩掛け
２０  左肩掛け
２１  鉄製フレーム
２２  電動アクチュエーター
２３  吊りバンド
２４  吊りジョイント
２５  ベッド
【考案を実施するための形態】
【０００８】図１で示したカートリッジカプセル付きのオムツ、それに加えてオムツ用クッションを使って、ユーザーは仰向けでの就寝と横向きでの就寝を快適にする。寝具から起き上がったり、椅子に座る場合には、ユーザーが身に付けた吊り上げ吊り下げ具に、吊り下げ吊り上げ移動器を接続して離床する。
【実施例】
【０００９】図１、図４、図５は具体的な実施例で、介助補助機器も使用できる。
【図１】
0003193749.tif 000003
【図２】
0003193749.tif 000004
【図３】
0003193749.tif 000005
【図４】
0003193749.tif 000006
【図５】
0003193749.tif 000007
【手続補正書】
【提出日】平成26年8月4日(2014.8.4)
【手続補正１】
【補正対象書類名】明細書
【補正対象項目名】全文
【補正方法】変更
【補正の内容】
【考案の詳細な説明】
【技術分野】
【０００１】本考案は、取り替えが簡単で便利なオムツの提供に関するものである。
【背景技術】
【０００２】従来のオムツでは用便が広がり過ぎてしまう場合が多く、オムツ交換や清拭時に面倒なことが多かったので、極力、用便を狭い範囲に留めようと考案した。
【考案が解決しようとする課題】
【０００３】オムツ内に用便などをする際、横漏れ等を防ぎ、快適に用便を狭い範囲に留め、オムツ交換と清拭を容易にできる発展性を提供する。
【問題を解決するための手段】
【０００４】カートリッジカプセルを用いて用便を狭い範囲に留め、カートリッジカプセルが体重によって押しつぶされないように工夫する。
【考案の効果】
【０００５】オムツ内に用便をする際、用便を狭い範囲に留め、オムツ交換と清拭を容易にできる効果がある。
【図面の簡単な説明】
【０００６】
【図１】カートリッジカプセルを使用したオムツ、及びその付属品を組み合せた実施方法を示した説明図である。
【図２】カートリッジカプセルを使用したオムツの内部の部品、及び材料の構造を示した説明図である。
【図３】カートリッジカプセルを使用したオムツの外側に保護の為に付けるオムツ用クッションの部品と構造を示した説明図である。
【０００７】図１では、まず、ユーザーは腰当てを巻き、フック付きベルトを装着し、カートリッジカプセルを装着したオムツとオムツと一体化したソフトカバーをソフトカバーに付いたフックを用いてフック付きベルトに引っ掛けて装着する。その後、用便の入るカートリッジカプセルがユーザーの体重で潰れないようにオムツ用クッションを臀部の周りに装着し、就寝時と着座時などの起床中の両方で使用する。
【符号の説明】１  腰当て
２  フック付きベルト
３  吸収材女性用
４  吸収材男性用
５  吸収材大便用
６  カートリッジカプセル小
７  カートリッジカプセルホルダー大
８  カバー大
９  面テープ
１０  面テープ
１１  ソフトカバー
１２  オムツ用クッション
１３  フック付きベルト掛け用フック
１４  右ロック用留め具
１５  左ロック用留め具
【考案を実施するための形態】
【０００８】図１で示したカートリッジカプセル付きのオムツ、それに加えてオムツ用クッションを使って、ユーザーは仰向けでの就寝と横向きでの就寝を快適にする。
【実施例】
【０００９】図１は具体的な実施例である。
【手続補正２】
【補正対象書類名】実用新案登録請求の範囲
【補正対象項目名】全文
【補正方法】変更
【補正の内容】
【実用新案登録請求の範囲】
【請求項１】
ソフトカバーの両端に備えられたフックを用いて、カートリッジカプセルと、オムツと、前記オムツと一体化したオムツカバーとを重ねてフック付きベルトに引っ掛け可能とし、オムツ用クッションと、前記オムツ用クッションに取り付けられたベルト掛け用フックを前記フック付きベルトにさらに引っ掛け可能としたことを特長とする、カートリッジカプセル付きオムツ。
【手続補正３】
【補正対象書類名】図面
【補正対象項目名】全図
【補正方法】変更
【補正の内容】
【図１】
0003193749.tif 000008
【図２】
0003193749.tif 000009
【図３】
0003193749.tif 000010